(57)【要約】      （修正有）【課題】通信装置が、無線フレームを受信した際に、その無線フレームによるデータ伝送においてＨＡＲＱが用いられているか否かを迅速に認識する通信装置並びにその通信方法、情報処理装置並びにその制御方法、及び、プログラムを提供する。【解決手段】通信装置は、物理レイヤ（ＰＨＹ）のプリアンブルとデータフィールドとを有する無線フレームを送信する。プリアンブルは、Ｌ−ＳＴＦと、Ｌ−ＬＴＦと、Ｌ−ＳＩＧと、ＥＨＴ−ＳＩＧ−Ａと、ＥＨＴ−ＳＴＦと、ＥＨＴ−ＬＴＦと、を含み、ＥＨＴ−ＳＩＧ−Ａは、データフィールドに含まれるデータの伝送においてＨｙｂｒｉｄ  Ａｕｔｏｍａｔｉｃ  Ｒｅｐｅａｔ  ｒｅＱｕｅｓｔ（ＨＡＲＱ）が使用されるか否かに関する情報が設定されるサブフィールドを含む。【選択図】図４
2020141302.tif 000002
【特許請求の範囲】
【請求項１】
物理レイヤ（ＰＨＹ）のプリアンブルとデータフィールドとを有する無線フレームを送信する送信手段を有し、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ−Ａ（Ｅｘｔｒｅｍｅｌｙ  Ｈｉｇｈ  Ｔｈｒｏｕｇｈｐｕｔ  Ｓｉｇｎａｌ  Ａ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧ−Ａは、前記データフィールドに含まれるデータの伝送においてＨｙｂｒｉｄ  Ａｕｔｏｍａｔｉｃ  Ｒｅｐｅａｔ  ｒｅＱｕｅｓｔ（ＨＡＲＱ）が使用されるか否かに関する情報が設定されるサブフィールドを含む、
ことを特徴とする通信装置。
【請求項２】
前記無線フレームがマルチユーザ通信用である場合に、前記ＥＨＴ−ＳＩＧ−Ａの後であって前記ＥＨＴ−ＳＴＦの前に配置されるさらなるフィールド（ＥＨＴ−ＳＩＧ−Ｂ）を含み、
前記ＥＨＴ−ＳＩＧ−Ｂは、複数の相手装置のそれぞれに対する前記データフィールドに含まれるデータの伝送において、ＨＡＲＱが使用されるか否かに関する情報が設定されるサブフィールドを含む、ことを特徴とする請求項１に記載の通信装置。
【請求項３】
前記サブフィールドは、前記データフィールドに含まれるデータの伝送においてＨＡＲＱが使用される場合に、使用するＨＡＲＱのタイプの情報を含む、ことを特徴とする請求項１又は２記載の通信装置。
【請求項４】
前記サブフィールドは、前記データフィールドに含まれるデータの伝送においてＨＡＲＱが使用されるか否かを示す１ビットのフィールドである、ことを特徴とする請求項１又は２記載の通信装置。
【請求項５】
ＨＡＲＱが使用されていることを示す情報が前記サブフィールドに設定されている前記無線フレームを受信した場合、ＨＡＲＱを用いた受信を実行するための機能を起動する、ことを特徴とする請求項１から４のいずれか１項に記載の通信装置。
【請求項６】
複数の通信処理手段をさらに有し、
ＨＡＲＱが使用されていることを示す情報が前記サブフィールドに設定されている前記無線フレームを受信した場合に、前記複数の通信処理手段のうちの第１の通信手段に前記無線フレームを振り分け、ＨＡＲＱが使用されていないことを示す情報が前記サブフィールドに設定されている前記無線フレームを受信した場合に、前記複数の通信処理手段のうちの第２の通信手段に前記無線フレームを振り分ける、ことを特徴とする請求項１から５のいずれか１項に記載の通信装置。
【請求項７】
物理レイヤ（ＰＨＹ）のプリアンブルとデータフィールドとを有する無線フレームを受信する受信手段を有し、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ−Ａ（Ｅｘｔｒｅｍｅｌｙ  Ｈｉｇｈ  Ｔｈｒｏｕｇｈｐｕｔ  Ｓｉｇｎａｌ  Ａ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧ−Ａは、前記データフィールドに含まれるデータの伝送においてＨｙｂｒｉｄ  Ａｕｔｏｍａｔｉｃ  Ｒｅｐｅａｔ  ｒｅＱｕｅｓｔ（ＨＡＲＱ）が使用されるか否かに関する情報が設定されるサブフィールドを含む、
ことを特徴とする通信装置。
【請求項８】
物理レイヤ（ＰＨＹ）のプリアンブルとデータフィールドとを有する無線フレームを生成する生成手段を有し、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ−Ａ（Ｅｘｔｒｅｍｅｌｙ  Ｈｉｇｈ  Ｔｈｒｏｕｇｈｐｕｔ  Ｓｉｇｎａｌ  Ａ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧ−Ａは、前記データフィールドに含まれるデータの伝送においてＨｙｂｒｉｄ  Ａｕｔｏｍａｔｉｃ  Ｒｅｐｅａｔ  ｒｅＱｕｅｓｔ（ＨＡＲＱ）が使用されるか否かに関する情報が設定されるサブフィールドを含む、
ことを特徴とする情報処理装置。
【請求項９】
通信装置によって実行される通信方法であって、
物理レイヤ（ＰＨＹ）のプリアンブルとデータフィールドとを有する無線フレームを送信する送信工程を含み、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ−Ａ（Ｅｘｔｒｅｍｅｌｙ  Ｈｉｇｈ  Ｔｈｒｏｕｇｈｐｕｔ  Ｓｉｇｎａｌ  Ａ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧ−Ａは、前記データフィールドに含まれるデータの伝送においてＨｙｂｒｉｄ  Ａｕｔｏｍａｔｉｃ  Ｒｅｐｅａｔ  ｒｅＱｕｅｓｔ（ＨＡＲＱ）が使用されるか否かに関する情報が設定されるサブフィールドを含む、
ことを特徴とする通信方法。
【請求項１０】
通信装置によって実行される通信方法であって、
物理レイヤ（ＰＨＹ）のプリアンブルとデータフィールドとを有する無線フレームを受信する受信工程を含み、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ−Ａ（Ｅｘｔｒｅｍｅｌｙ  Ｈｉｇｈ  Ｔｈｒｏｕｇｈｐｕｔ  Ｓｉｇｎａｌ  Ａ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧ−Ａは、前記データフィールドに含まれるデータの伝送においてＨｙｂｒｉｄ  Ａｕｔｏｍａｔｉｃ  Ｒｅｐｅａｔ  ｒｅＱｕｅｓｔ（ＨＡＲＱ）が使用されるか否かに関する情報が設定されるサブフィールドを含む、
ことを特徴とする通信方法。
【請求項１１】
情報処理装置によって実行される制御方法であって、
物理レイヤ（ＰＨＹ）のプリアンブルとデータフィールドとを有する無線フレームを生成する生成工程を含み、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ−Ａ（Ｅｘｔｒｅｍｅｌｙ  Ｈｉｇｈ  Ｔｈｒｏｕｇｈｐｕｔ  Ｓｉｇｎａｌ  Ａ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧ−Ａは、前記データフィールドに含まれるデータの伝送においてＨｙｂｒｉｄ  Ａｕｔｏｍａｔｉｃ  Ｒｅｐｅａｔ  ｒｅＱｕｅｓｔ（ＨＡＲＱ）が使用されるか否かに関する情報が設定されるサブフィールドを含む、
ことを特徴とする制御方法。
【請求項１２】
コンピュータを、請求項１から７のいずれか１項に記載の通信装置または請求項８に記載の情報処理装置として機能させるためのプログラム。
【発明の詳細な説明】
【技術分野】
【０００１】
本発明は、無線ＬＡＮにおける通信制御技術に関する。
【背景技術】
【０００２】
近年の通信されるデータ量の増加に伴い、無線ＬＡＮ（Ｌｏｃａｌ  Ａｒｅａ  Ｎｅｔｗｏｒｋ）等の通信技術の開発が進められている。無線ＬＡＮの主要な通信規格として、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１規格シリーズが知られている。ＩＥＥＥ８０２．１１規格シリーズには、ＩＥＥＥ８０２．１１ａ／ｂ／ｇ／ｎ／ａｃ／ａｘ等の規格が含まれる。例えば、最新規格のＩＥＥＥ８０２．１１ａｘでは、ＯＦＤＭＡ（直交周波数多元接続）を用いて、最大９．６ギガビット毎秒（Ｇｂｐｓ）という高いピークスループットに加え、混雑状況下での通信速度を向上させる技術が規格化されている（特許文献１参照）。
【０００３】
一方、さらなるスループット向上のために、ＩＥＥＥ８０２．１１ａｘの後継規格として、ＩＥＥＥ８０２．１１ＥＨＴ（Ｅｘｔｒｅｍｅｌｙ  Ｈｉｇｈ  Ｔｈｒｏｕｇｈｐｕｔ）と呼ばれるＳｔｕｄｙ  Ｇｒｏｕｐが結成されている。ＥＨＴでは、アクセスポイント（ＡＰ）とステーション（ＳＴＡ）との間で、ＨＡＲＱ（Ｈｙｂｒｉｄ  Ａｕｔｏｍａｔｉｃ  Ｒｅｐｅａｔ  ｒｅＱｕｅｓｔ）  ｗｉｔｈ  ｓｏｆｔ  ｃｏｍｂｉｎｉｎｇ技術の適用が検討されている。ＨＡＲＱ  ｗｉｔｈ  ｓｏｆｔ  ｃｏｍｂｉｎｉｎｇを使用することにより、従来のＡＲＱ（Ａｕｔｏｍａｔｉｃ  Ｒｅｐｅａｔ  ｒｅＱｕｅｓｔ（ＡＲＱ）を用いる場合と比して、データの効率的な伝送が可能となる。
【先行技術文献】
【特許文献】
【０００４】
【特許文献１】特開２０１８−０５０１３３号公報
【発明の概要】
【発明が解決しようとする課題】
【０００５】
無線フレームを受信した通信装置が、その無線フレームによるデータ伝送においてＨＡＲＱが用いられているか否かを迅速に確認することが有用でありうる。一方、従来の規格においてはＨＡＲＱは使用されていないため、通信装置が、その無線フレームによるデータ伝送においてＨＡＲＱが用いられているか否かを認識するための仕組みも存在していない。
【０００６】
本発明は、通信装置が無線フレームを受信した際に、その無線フレームによるデータ伝送においてＨＡＲＱが用いられているか否かを迅速に認識可能とする技術を提供する。
【課題を解決するための手段】
【０００７】
本発明の一態様による通信装置は、  物理レイヤ（ＰＨＹ）のプリアンブルとデータフィールドとを有する無線フレームを送信する送信手段を有し、前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ−Ａ（Ｅｘｔｒｅｍｅｌｙ  Ｈｉｇｈ  Ｔｈｒｏｕｇｈｐｕｔ  Ｓｉｇｎａｌ  Ａ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、前記ＥＨＴ−ＳＩＧ−Ａは、前記データフィールドに含まれるデータの伝送においてＨｙｂｒｉｄ  Ａｕｔｏｍａｔｉｃ  Ｒｅｐｅａｔ  ｒｅＱｕｅｓｔ（ＨＡＲＱ）が使用されるか否かに関する情報が設定されるサブフィールドを含む、ことを特徴とする。
【発明の効果】
【０００８】
本発明によれば、通信装置が、無線フレームを受信した際に、その無線フレームによるデータ伝送においてＨＡＲＱが用いられているか否かを迅速に認識することができる。
【図面の簡単な説明】
【０００９】
【図１】ネットワークの構成例を示す図である。
【図２】通信装置の機能構成例を示す図である。
【図３】通信装置のハードウェア構成例を示す図である。
【図４】無線フレームの送信処理の流れの例を示す図である。
【図５】無線フレームの受信処理の流れの例を示す図である。
【図６】ＥＨＴ  ＳＵ  ＰＰＤＵのＰＨＹフレーム構造の例を示す図である。
【図７】ＥＨＴ  ＥＲ  ＰＰＤＵのＰＨＹフレーム構造の例を示す図である。
【図８】ＥＨＴ  ＭＵ  ＰＰＤＵのＰＨＹフレーム構造の例を示す図である。
【発明を実施するための形態】
【００１０】
以下、添付図面を参照して実施形態を詳しく説明する。なお、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１１】
（ネットワーク構成）
図１に、本実施形態の無線通信ネットワークの構成例を示す。本無線通信ネットワークは、１台のアクセスポイント（ＡＰ）と３台のステーション（ＳＴＡ）とを含んで構成される。ここで、ＡＰ１０２とＳＴＡ１０３〜ＳＴＡ１０５は、ＩＥＥＥ８０２．１１ＥＨＴ（Ｅｘｔｒｅｍｅｌｙ  Ｈｉｇｈ  Ｔｈｒｏｕｇｈｐｕｔ）に準拠しており、ＩＥＥＥ８０２．１１ＥＨＴ規格以前に策定された規格に準拠した無線通信を実行可能に構成される。なお、ＩＥＥＥ８０２．１１ＥＨＴという名称は便宜上設けられたものであり、規格が確定した状態において別の名称となりうるが、本明細書及び添付の特許請求の範囲は、後述の処理をサポートしうるすべての規格をカバーすることを予定している。以下では、特定の装置を指さない場合等において、参照番号を付さずに、アクセスポイントを「ＡＰ」と呼び、ステーション（端末）を「ＳＴＡ」と呼ぶ場合がある。なお、図１では、一例として１台のＡＰと３台のＳＴＡとを含んだ無線通信ネットワークを示しているが、これらの通信装置の台数は、図示されるより多くても少なくてもよい。一例においては、ＳＴＡ同士の通信が行われる場合、ＡＰが存在しなくてもよい。図１では、ＡＰ１０２が形成するネットワークの通信可能範囲が円１０１によって示されている。なお、この通信可能範囲は、より広い範囲をカバーしてもよいし、より狭い範囲のみをカバーしてもよい。なお、ＥＨＴは、Ｅｘｔｒｅｍｅ  Ｈｉｇｈ  Ｔｈｒｏｕｇｈｐｕｔの頭字語と解されてもよい。
【００１２】
（装置の構成）
図２は、通信装置（ＡＰ及びＳＴＡ）のハードウェア構成例を示す。通信装置は、そのハードウェア構成の一例として、記憶部２０１、制御部２０２、機能部２０３、入力部２０４、出力部２０５、通信部２０６、及びアンテナ２０７を有する。
【００１３】
記憶部２０１は、ＲＯＭ、ＲＡＭの両方、または、いずれか一方により構成され、後述する各種動作を行うためのプログラムや、無線通信のための通信パラメータ等の各種情報を記憶する。なお、記憶部２０１として、ＲＯＭ、ＲＡＭ等のメモリの他に、フレキシブルディスク、ハードディスク、光ディスク、光磁気ディスク、ＣＤ−ＲＯＭ、ＣＤ−Ｒ、磁気テープ、不揮発性のメモリカード、ＤＶＤなどの記憶媒体が用いられてもよい。
【００１４】
制御部２０２は、例えば、ＣＰＵやＭＰＵ等の１つ以上のプロセッサ、ＡＳＩＣ（特定用途向け集積回路）、ＤＳＰ（デジタルシグナルプロセッサ）、ＦＰＧＡ（フィールドプログラマブルゲートアレイ）等により構成される。ここで、ＣＰＵはＣｅｎｔｒａｌ  Ｐｒｏｃｅｓｓｉｎｇ  Ｕｎｉｔの、ＭＰＵは、Ｍｉｃｒｏ  Ｐｒｏｃｅｓｓｉｎｇ  Ｕｎｉｔの頭字語である。制御部２０２は、記憶部２０１に記憶されたプログラムを実行することにより装置全体を制御する。なお、制御部２０２は、記憶部２０１に記憶されたプログラムとＯＳ（Ｏｐｅｒａｔｉｎｇ  Ｓｙｓｔｅｍ）との協働により装置全体を制御するようにしてもよい。
【００１５】
また、制御部２０２は、機能部２０３を制御して、撮像や印刷、投影等の所定の処理を実行する。機能部２０３は、装置が所定の処理を実行するためのハードウェアである。例えば、装置がカメラである場合、機能部２０３は撮像部であり、撮像処理を行う。また、例えば、装置がプリンタである場合、機能部２０３は印刷部であり、印刷処理を行う。また、例えば、装置がプロジェクタである場合、機能部２０３は投影部であり、投影処理を行う。機能部２０３が処理するデータは、記憶部２０１に記憶されているデータであってもよいし、後述する通信部２０６を介して他のＡＰやＳＴＡと通信したデータであってもよい。
【００１６】
入力部２０４は、ユーザからの各種操作の受付を行う。出力部２０５は、ユーザに対して各種出力を行う。ここで、出力部２０５による出力とは、例えば、画面上への表示や、スピーカによる音声出力、振動出力等の少なくとも１つを含む。なお、タッチパネルのように入力部２０４と出力部２０５の両方を１つのモジュールで実現するようにしてもよい。
【００１７】
通信部２０６は、ＩＥＥＥ８０２．１１規格シリーズに準拠した無線通信の制御や、ＩＰ通信の制御を行う。通信部３０６は、いわゆる無線チップであり、それ自体が１つ以上のプロセッサやメモリを含んでいてもよい。本実施形態では、通信部２０６は、少なくともＩＥＥＥ８０２．１１ａｘ規格に準拠した処理を実行することができる。また、通信部２０６はアンテナ２０７を制御して、無線通信のための無線信号の送受信を行う。装置は、通信部２０６を介して、画像データや文書データ、映像データ等のコンテンツを他の通信装置と通信する。アンテナ２０７は、例えば、サブＧＨｚ帯、２．４ＧＨｚ帯、５ＧＨｚ帯、及び６ＧＨｚ帯の少なくともいずれかを送受信可能なアンテナである。なお、アンテナ２０７によって対応可能な周波数帯（及びその組み合わせ）については特に限定されない。アンテナ２０７は、１本のアンテナであってもよいし、ＭＩＭＯ（Ｍｕｌｔｉ−Ｉｎｐｕｔ  ａｎｄ  Ｍｕｌｔｉ−Ｏｕｔｐｕｔ）送受信を行うための２本以上のアンテナのセットであってもよい。また、図２では、１本のアンテナ２０７が示されているが、例えばそれぞれ異なる周波数帯に対応可能な２本以上（２セット以上）のアンテナを含んでもよい。
【００１８】
図３に、通信装置（ＡＰ及びＳＴＡ）の機能構成例を示す。通信装置は、一例として、無線ＬＡＮ制御部３０１、フレーム生成部３０２、ＨＡＲＱ制御部３０３、ＵＩ制御部３０４、記憶部３０５、及びアンテナ３０６を有する。
【００１９】
無線ＬＡＮ制御部３０１は、他の無線ＬＡＮ装置（例えば他のＡＰやＳＴＡ）との間で、アンテナ３０６を用いて、無線信号の送受信を行うための回路及びそれらを制御するプログラムを含んで構成される。無線ＬＡＮ制御部３０１は、ＩＥＥＥ８０２．１１規格シリーズに従って、フレーム生成部３０２において生成されたフレームの送信や、他の無線ＬＡＮ装置からの無線フレームの受信等、無線ＬＡＮの通信制御を実行する。フレーム生成部３０２は、例えば他のＡＰやＳＴＡへ送信するべきデータを含んだ無線フレームを生成する。このときに、フレーム生成部３０２は、ＨＡＲＱ制御部３０３の制御に基づいて無線フレームを生成する。ＨＡＲＱ制御部３０３は、使用するＨＡＲＱ（Ｈｙｂｒｉｄ  Ａｕｔｏｍａｔｉｃ  Ｒｅｐｅａｔ  ｒｅＱｕｅｓｔ）のタイプに応じて、送信データに対する誤り訂正符号の生成、再送を実行するときに送信する誤り訂正符号バージョンの制御等を行う。また、ＨＡＲＱ制御部３０３は、受信データに対して、使用するＨＡＲＱのタイプに応じて、誤り訂正符号による誤り訂正復号を行う。また、ＨＡＲＱ制御部３０３は、受信データに含まれる誤りを訂正しきれなかった場合、その誤りを含んだデータをＨＡＲＱ制御部３０３が保持する受信バッファに格納する。そして、ＨＡＲＱ制御部３０３は、その後に再送されてきたパケットに含まれる受信データと、受信バッファに格納されていた受信データとを用いて誤り訂正復号を行うことにより、効率良く誤り訂正を実行する。ＨＡＲＱのタイプは、例えば、Ｃｈａｓｅ  ＣｏｍｂｉｎｉｎｇやＩｎｃｒｅｍｅｎｔａｌ  Ｒｅｄｕｎｄａｎｃｙを含む。また、ＨＡＲＱのタイプは、例えば、Ｐａｒｔｉａｌ  Ｃｈａｓｅ  ＣｏｍｂｉｎｉｎｇやＰａｒｔｉａｌ  Ｉｎｃｒｅｍｅｎｔａｌ  Ｒｅｄｕｎｄａｎｃｙなどを含んでもよい。ただし、これらは一例に過ぎず、他のＨＡＲＱのタイプが用いられてもよい。ＵＩ制御部３０４は、通信装置の不図示のユーザによる、通信装置に対する操作を受け付けるためのタッチパネル又はボタン等のユーザインタフェース（ＵＩ）に関するハードウェア及びそれらを制御するプログラムを含んで構成される。なお、ＵＩ制御部３０４は、例えば、画像等の表示、又は音声出力等の、情報をユーザに提示するための機能をも有する。記憶部３０５は、通信装置が実行するプログラムや各種データを保存するＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の記憶装置を含んで構成される。
【００２０】
本実施形態では、通信装置が送信装置であり、送信データについてＨＡＲＱを用いて送信する場合、フレーム生成部３０２が、ＰＨＹ（物理レイヤ）プリアンブルにＨＡＲＱが使用されることを含む無線フレームを生成する。また、通信装置が受信装置である場合、無線フレームを受信した際に、通信装置は、ＰＨＹプリアンブルを復号し、ＨＡＲＱが用いられているか否かを特定する。通信装置は、これにより、例えば、ＨＡＲＱが用いられている無線フレームを受信したことに応じて、ＨＡＲＱ制御部３０３を起動することができ、この結果、通信装置の消費電力の浪費を抑制することができる。また、例えば、データを並列処理するための複数の通信処理部を有する通信装置において、ＨＡＲＱが用いられて送信される一連のデータを第１の通信処理部へ振り分け、ＨＡＲＱが用いられずに送信されるデータを第２の通信処理部へ振り分けうる。このとき、物理ヘッダの復号が完了した時点でデータの振り分け先を迅速に振り分けることができるため、データの並列処理を効率的に実行することができる。
【００２１】
（処理の流れ）
続いて、通信装置が実行する処理の流れについて説明する。なお、以下で説明する処理が行われる前に、送信側の通信装置（以下では送信装置と呼ぶ。）と受信側の通信装置（以下では受信装置と呼ぶ。）との間で、ＩＥＥＥ８０２．１１規格で規定された処理によって、接続が確立されているものとする。また、ここでは、説明を簡単にするため、ＨＡＲＱが使用されるか否かに応じた処理について説明し、それと別途使用されうるＡＲＱについては説明を省略する。送信装置が実行する処理の流れの例を図４に、受信装置が実行する処理の流れの例を図５に示す。
【００２２】
送信装置は、送信対象データの準備が完了したことに基づいて、図４の処理を開始し、その送信対象データを符号化する（Ｓ４０１）。ここでは、送信対象データに対して、誤り検出符号と誤り訂正符号の両方による符号化が行われる。誤り検出符号は、一例として、循環冗長検査（ＣＲＣ）符号でありうるが、これに限定されない。誤り訂正符号は、一例においてバイナリ畳込み符号、低密度パリティ検査符号（ＬＤＰＣ）、ターボ符号などでありうるが、これらに限定されない。なお、送信装置及び受信装置が共に対応している誤り訂正符号が使用される。
【００２３】
そして、送信装置は、符号化後の送信対象データを含んだ無線フレームを生成する処理を行う。このとき、送信装置は、ＨＡＲＱを使用するか否かを判定し（Ｓ４０２）、ＨＡＲＱを使用しないと判定した場合（Ｓ４０２でＮＯ）、ＨＡＲＱを使用していないことを示すＰＨＹプリアンブルを含んだ無線フレームを生成して送信する（Ｓ４０３）。このとき、送信装置は、ＡＲＱも用いられない場合には、その送信対象データを破棄する（Ｓ４０８）。なお、ＡＲＱが行われる場合は、再送に備えて送信対象データを破棄せずに（例えば記憶部３０５に）保持しておき、後述のＳ４０５〜Ｓ４０７の処理の後に、送信対象データが破棄される。
【００２４】
一方、送信装置は、ＨＡＲＱを使用すると判定した場合（Ｓ４０２でＹＥＳ）、ＨＡＲＱを使用していることを示すＰＨＹプリアンブルを含んだ無線フレームを生成して送信する（Ｓ４０４）。このとき、送信装置は、再送に備えて送信対象データを破棄せずに（例えば記憶部３０５に）保持しておく。そして、送信装置は、データの送信に成功したか否かを判定する（Ｓ４０５）。送信装置は、例えば、一定時間（ＩＥＥＥ８０２．１１規格において規定されているＡｃｋＴｉｍｅｏｕｔ）の間に、受信装置からＡＣＫを受信した場合は、データ送信が成功したと判定する。送信装置は、データ送信に成功したと判定した場合（Ｓ４０５でＹＥＳ）は、送信後に保持していた送信対象データを破棄する（Ｓ４０８）。なお、送信装置は、このときに、再送回数を０にリセットする。送信装置は、例えば、Ｂｌｏｃｋ  ＡＣＫにより、データ送信に成功したか否かを判定してもよい。この場合、送信装置は、Ｂｌｏｃｋ  ＡＣＫに含まれるＢｌｏｃｋ  Ａｃｋ  Ｓｔａｒｔｉｎｇ  Ｓｅｑｕｅｎｃｅ  ＣｏｎｔｒｏｌとＢｌｏｃｋ  Ａｃｋ  Ｂｉｔｍａｐとを用いて、その送信対象データの送信に成功したか否かを確認しうる。なお、送信装置は、一定時間内に上述のＡＣＫやＢｌｏｃｋ  ＡＣＫを受信しなかった場合は、データ送信に失敗したと判定する。
【００２５】
送信装置は、データ送信に失敗したと判定した場合（Ｓ４０５でＮＯ）、続いて、現在の再送回数が上限値（ＩＥＥＥ８０２．１１規格において規定されているｄｏｔ１１ＳｈｏｒｔＲｅｔｒｙＬｉｍｉｔ）に達しているか否かを判定する（Ｓ４０６）。なお、現在の再送回数は、送信対象データごとに保持され、初期値を０として、データの再送が行われるごとに１だけ増加される。送信装置は、送信対象データの再送回数が上限値に達していないと判定した場合（Ｓ４０６でＮＯ）、その送信対象データを再送する（Ｓ４０７）。なお、再送においては、Ｓ４０１で生成した符号化済みデータのうちの適切なバージョンが送信される。例えば、Ｃｈａｓｅ  Ｃｏｍｂｉｎｉｎｇ形式のＨＡＲＱでは、毎回同じ符号化データが送信され、Ｉｎｃｒｅｍｅｎｔａｌ  Ｒｅｄｕｎｄａｎｃｙ形式では、毎回異なるバージョンの符号化データが送信される。その後、送信装置は、処理をＳ４０５に戻し、必要に応じて送信対象データの再送を繰り返す。なお、送信装置は、再送回数が上限に達した場合（Ｓ４０６でＹＥＳ）、送信対象データを破棄して（Ｓ４０８）、処理を終了する。
【００２６】
受信装置は、送信装置からの無線フレーム（データ）を受信する（Ｓ５０１）と、その受信データに関して、データの復号処理を実行する（Ｓ５０２）。なお、受信装置は、無線フレームのＰＨＹプリアンブルを復号することにより、この無線フレームがＨＡＲＱに対応するか否かを判定する。そして、受信装置は、ＨＡＲＱが用いられていることが示されている無線フレームを受信したことに基づいて、Ｓ５０３以降の処理を実行する。一方、受信装置は、ＨＡＲＱが用いられていないことが示されている無線フレームを受信した場合、その無線フレームにおいて誤りが検出されたことに応じて、例えばＡＲＱの再送を要求しうるが、受信した無線フレームについては破棄する。受信装置は、誤り訂正符号に対応する復号アルゴリズムを用いて復号処理を実行し、また、誤り検出符号に対応する検出アルゴリズムを用いて誤り検出を実行する。なお、受信装置は、ＨＡＲＱが用いられる場合の再送データに対しては、受信バッファ内に保持されている誤りを含んだデータと、新たに受信したデータとに基づいて（例えば合成して）復号処理を行う。これにより、誤り訂正処理を効率よく実行することが可能となる。
【００２７】
受信装置は、受信データを復号した結果において誤りが検出されたか否かを判定し（Ｓ５０３）、誤りが検出された場合（Ｓ５０３でＹＥＳ）、現在の再送回数が上限値に達したか否かを確認する（Ｓ５０４）。そして、受信装置は、再送回数が上限値に達していない場合（Ｓ５０４でＮＯ）は、送信装置へ再送を要求し（Ｓ５０５）、受信したパケットについて、後述の受信バッファ処理を実行する（Ｓ５０８）。なお、受信装置は、再送要求に応じて再送データを受信したことに応じて、Ｓ５０１からの処理を再度実行する。なお再送要求は、例えば、ＩＥＥＥ８０２．１１規格において規定されているるＡｃｋＴｉｍｅｏｕｔ時間の間、ＡＣＫを送信しないことによって行われる。すなわち、受信装置は、送信装置に対してアクションを取らないことにより、黙示的に再送を要求しうる。また、受信装置は、Ｂｌｏｃｋ  ＡＣＫや他の信号を用いて、送信装置に対して明示的に再送要求を送信してもよい。受信装置は、Ｂｌｏｃｋ  ＡＣＫを用いる場合、Ｂｌｏｃｋ  ＡＣＫ  Ｂｉｔｍａｐのうち、誤りが検出されたパケットのシーケンス番号に対応するビットを０とすることにより、受信失敗を送信装置へ通知しうる。さらに、受信装置は、再送要求パケットとしてＮＡＫフレームを送信してもよい。受信装置は、その後に、後述の受信バッファ処理を実行し（Ｓ５０８）、処理を終了する。
【００２８】
一方、受信装置は、受信データを復号した結果において誤りが検出されなかった場合（Ｓ５０３でＮＯ）、送信装置に対してＡＣＫ又はＢｌｏｃｋ  ＡＣＫ等の確認応答フレームを送信する（Ｓ５０６）。受信装置は、Ｂｌｏｃｋ  ＡＣＫを用いる場合、パケットのシーケンス番号に対応するＢｌｏｃｋ  ＡＣＫ  Ｂｉｔｍａｐを用いて受信が成功したパケットを送信装置へ通知する。例えば、受信装置は、Ｂｌｏｃｋ  ＡＣＫ  Ｂｉｔｍａｐのうち、誤りが検出されなかったパケットのシーケンス番号に対応するビットを１とすることにより、データの受信に成功したことを送信装置へ通知しうる。受信装置は、その後に又はＳ５０６と並行して、受信データを、ＭＡＣ（媒体アクセス制御）層以上の上位層の制御を行うためのプログラムへ出力する（Ｓ５０７）。また、受信装置は、その後に又はＳ５０６やＳ５０７と並行して、上述の受信バッファ処理を実行し（Ｓ５０８）、処理を終了する。
【００２９】
受信バッファ処理では、受信装置は、誤りが検出されたエラーパケットを（例えば記憶部３０５内の）受信バッファに一次データとして保持する。一方、受信装置は、誤りが検出されなかった場合や、再送が上限に達してさらなる再送を行わない場合は、この受信バッファ処理において、受信バッファ内に保持された一次データを破棄する。
【００３０】
（フレーム構造）
図４及び図５の処理において送受信されるＩＥＥＥ８０２．１１ＥＨＴ規格で定められた無線フレーム（ＰＰＤＵ、Ｐｈｙｓｉｃａｌ  Ｌａｙｅｒ  （ＰＨＹ）  Ｐｒｏｔｏｃｏｌ  Ｄａｔａ  Ｕｎｉｔ）の例を図６〜図８に示す。図６は、シングルユーザ通信用のＰＰＤＵであるＥＨＴ  ＳＵ（Ｓｉｎｇｌｅ  Ｕｓｅｒ）  ＰＰＤＵの例を示し、図７は、マルチユーザ通信用のＥＨＴ  ＭＵ（Ｍｕｌｔｉ  Ｕｓｅｒ）  ＰＰＤＵの例を示している。図８は、長距離伝送用のＥＨＴ  ＥＲ（Ｅｘｔｅｎｄｅｄ  Ｒａｎｇｅ）  ＰＰＤＵの例を示している。ＥＨＴ  ＥＲ  ＰＰＤＵは、ＡＰと単一のＳＴＡとの間での通信において、通信範囲を拡張すべき場合に用いられる。
【００３１】
ＰＰＤＵは、ＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（Ｓｉｇｎａｌ  Ｆｉｅｌｄ）の各フィールドを含む。図６に示すように、ＰＰＤＵ先頭部には、ＩＥＥＥ８０２．１１ａ／ｂ／ｇ／ｎ／ａｘ規格に対して後方互換性を確保するための、Ｌ（Ｌｅｇａｃｙ）−ＳＴＦ６０１、Ｌ−ＬＴＦ６０２、及びＬ−ＳＩＧ６０３を有する。なお、図７及び図８のフレームフォーマットにおいても、Ｌ−ＳＴＦ（Ｌ−ＳＴＦ７０１、８０１）、Ｌ−ＬＴＦ（Ｌ−ＬＴＦ７０２、８０２）、Ｌ−ＳＩＧ（Ｌ−ＳＩＧ７０３、８０３）が含まれる。なお、Ｌ−ＬＴＦはＬ−ＳＴＦの直後に配置され、Ｌ−ＳＩＧはＬ−ＬＴＦの直後に配置される。なお、図６〜図８の構成では、さらに、Ｌ−ＳＩＧの直後に配置されるＲＬ−ＳＩＧ（Ｒｅｐｅａｔｅｄ  Ｌ−ＳＩＧ、ＲＬ−ＳＩＧ６０４、７０４、８０４）が含まれる。ＲＬ−ＳＩＧフィールドでは、Ｌ−ＳＩＧの内容が繰り返し送信される。ＲＬ−ＳＩＧは、ＩＥＥＥ８０２．１１ａｘ規格以降の規格に準拠したＰＰＤＵであることを受信者が認識可能とするものであり、場合によってはＩＥＥＥ８０２．１１ＥＨＴにおいては省略されてもよい。また、ＲＬ−ＳＩＧに代えて、ＩＥＥＥ８０２．１１ＥＨＴのＰＰＤＵであることを受信者が認識可能とするためのフィールドが設けられてもよい。
【００３２】
Ｌ−ＳＴＦ６０１は、ＰＨＹフレーム信号の検出、自動利得制御（ＡＧＣ：Ａｕｔｏｍａｔｉｃ  Ｇａｉｎ  Ｃｏｎｔｒｏｌ）やタイミング検出などに用いられる。Ｌ−ＬＴＦ６０２は、周波数・時刻の高精度な同期や伝搬チャネル情報（ＣＳＩ：ｃｈａｎｎｎｅｌ  ｓｔａｔｅ  ｉｎｆｏｒｍａｔｉｏｎ）の取得等に用いられる。Ｌ−ＳＩＧ６０３は、データ送信率やＰＨＹフレーム長の情報を含んだ制御情報を送信するために用いられる。ＩＥＥＥ８０２．１１ａ／ｂ／ｇ／ｎ／ａｘ規格に従うレガシー機器は、上記各種レガシーフィールドを復号することができる。
【００３３】
各ＰＰＤＵは、さらに、ＲＬ−ＳＩＧの直後に配置される、ＥＨＴ用の制御情報を送信するためのＥＨＴ−ＳＩＧ（ＥＨＴ−ＳＩＧ−Ａ６０５、ＥＨＴ−ＳＩＧ−Ａ７０５、ＥＨＴ−ＳＩＧ−Ｂ７０６、ＥＨＴ−ＳＩＧ−Ａ８０５）を含む。また、各ＰＰＤＵは、ＥＨＴ用のＳＴＦ（ＥＨＴ−ＳＴＦ６０６、７０７、８０６）、ＥＨＴ用のＬＴＦ（ＥＨＴ−ＬＴＦ６０７、７０８、８０７）を有する。各ＰＰＤＵでは、これらの制御用のフィールドの後にデータフィールド６０８、７０９、８０８と、Ｐａｃｋｅｔ  ｅｘｔｅｎｔｉｏｎフィールド６０９、７１０、８０９を有する。各ＰＰＤＵのＬ−ＳＴＦからＥＨＴ−ＬＴＦまでのフィールドが、ＰＨＹプリアンブルと呼ばれる。なお、ＰＰＤＵの各フィールドは、必ずしも図６〜図８に示す順番に並んでいなくてもよいし、図６〜図８に示していない新規のフィールドを含んでいてもよい。
【００３４】
なお、図６〜図８は、一例として、後方互換性を確保可能なＰＰＤＵを示しているが、後方互換性を確保する必要がない場合には、例えば、レガシーフィールドが省略されてもよい。この場合、例えば、同期の確立のために、Ｌ−ＳＴＦ及びＬ−ＬＴＦに代えて、ＥＨＴ−ＳＴＦやＥＨＴ−ＬＴＦが用いられる。そして、この場合、ＥＨＴ−ＳＩＧフィールドの後のＥＨＴ−ＳＴＦや複数のＥＨＴ−ＬＴＦのうちの１つが省略されうる。
【００３５】
ＥＨＴ  ＳＵ  ＰＰＤＵ及びＥＨＴ  ＥＲ  ＰＰＤＵに含まれるＥＨＴ−ＳＩＧ−Ａ６０５及び８０５は、以下の表１及び表２に示すように、ＰＰＤＵの受信に必要なＥＨＴ−ＳＩＧ−Ａ１とＥＨＴ−ＳＩＧ−Ａ２とを含む。本実施形態では、そのＰＰＤＵにおけるデータフィールドに含まれるデータの伝送においてＨＡＲＱが使用されるか否かを示す「ＨＡＲＱ」サブフィールドを、ＥＨＴ−ＳＩＧ−Ａ１に含める。また、図７のＥＨＴ  ＭＵ  ＰＰＤＵのＥＨＴ−ＳＩＧ−Ａ７０５は、以下の表３及び表４に示すように、ＰＰＤＵの受信に必要なＥＨＴ−ＳＩＧ−Ａ１とＥＨＴ−ＳＩＧ−Ａ２とを含む。本実施形態では、上述のようなＨＡＲＱサブフィールドを、ＥＨＴ−ＳＩＧ−Ａ２に含める。そして、例えば、ＨＡＲＱが使用される場合には、このＨＡＲＱサブフィールドに１が設定され、ＨＡＲＱが使用されない場合には、このＨＡＲＱサブフィールドに０が設定される。ただし、これは一例に過ぎず、この逆に、ＨＡＲＱが使用される場合には、このＨＡＲＱサブフィールドに０を設定し、ＨＡＲＱが使用されない場合には、このＨＡＲＱサブフィールドに１を設定してもよい。なお、表１〜表４の構成については一例に過ぎず、例えばＥＨＴ  ＳＵ  ＰＰＤＵ及びＥＨＴ  ＥＲ  ＰＰＤＵにおいて、ＥＨＴ−ＳＩＧ−Ａ１フィールドの１５番目のビット以外の位置で、このＨＡＲＱの情報が通知されてもよい。同様に、ＥＨＴ  ＭＵ  ＰＰＤＵにおいて、ＥＨＴ−ＳＩＧ−Ａ２フィールドの８番目のビット以外の位置で、このＨＡＲＱの情報が通知されてもよい。また、フィールドの名前や内容も、表１〜表４に示されるものと異なっていてもよい。
【００３６】
【表１】
2020141302.tif 000003
【００３７】
【表２】
2020141302.tif 000004
【００３８】
【表３】
2020141302.tif 000005
【００３９】
【表４】
2020141302.tif 000006
【００４０】
なお、ＥＨＴ  ＭＵ  ＰＰＤＵのＥＨＴ−ＳＩＧ−Ｂ７０６には、ＰＰＤＵの受信に必要な、表５に示すようなＣｏｍｍｏｎ  ｆｉｅｌｄや、表６に示すようなＵｓｅｒ  Ｂｌｏｃｋ  ｆｉｅｌｄの情報が含まれる。
【００４１】
【表５】
2020141302.tif 000007
【００４２】
【表６】
2020141302.tif 000008
【００４３】
図６に示すように、Ｕｓｅｒ  Ｂｌｏｃｋ  ｆｉｅｌｄには、Ｕｓｅｒ  ｆｉｅｌｄが含まれ、ユーザごとの情報が格納される。Ｕｓｅｒ  ｆｉｅｌｄは、複数のユーザに対して、ＯＦＤＭＡでデータを送信するか、ＭＵ−ＭＩＭＯでデータを送信するかに応じて形式が異なる。表７にＯＦＤＭＡでデータが送信される場合のＵｓｅｒ  ｆｉｅｌｄを示し、表８にＭＵ−ＭＩＭＯでデータが送信される場合のＵｓｅｒ  ｆｉｅｌｄを示す。
【００４４】
【表７】
2020141302.tif 000009
【００４５】
【表８】
2020141302.tif 000010
【００４６】
各ユーザ（送信装置に対する複数の相手装置）へのデータの伝送のためにＨＡＲＱが使用されるか否かが、Ｕｓｅｒ  ｆｉｅｌｄのＨＡＲＱサブフィールドに設定される。なお、Ｕｓｅｒ  ｆｉｅｌｄにＨＡＲＱサブフィールドが設けられる場合は、ＥＨＴ−ＳＩＧ−Ａ２のＨＡＲＱサブフィールドは省略されてもよい。また、ＥＨＴ−ＳＩＧ−Ａ２にＨＡＲＱサブフィールドが設けられる場合は、Ｕｓｅｒ  ｆｉｅｌｄのＨＡＲＱサブフィールドは省略されてもよい。また、ＥＨＴ−ＳＩＧ−Ａ２とＵｓｅｒ  ｆｉｅｌｄの両方にＨＡＲＱサブフィールドが設けられてもよい。例えば、ＥＨＴ−ＳＩＧ−Ａ２のＨＡＲＱサブフィールドにおいて、各ユーザのためのデータの伝送にＨＡＲＱが使用されているか否かが指定され、Ｕｓｅｒ  ｆｉｅｌｄのＨＡＲＱサブフィールドにおいて、ＨＡＲＱのタイプが指定されてもよい。
【００４７】
以上のようにして、通信装置は、例えば、ＨＡＲＱが用いられている無線フレームを受信したことに応じて、ＨＡＲＱ制御部３０３を起動し、それ以外のタイミングでＨＡＲＱ制御部３０３をオフとすることができる。この結果、通信装置の消費電力の浪費を抑制することができる。また、例えば、データを並列処理するための複数の通信処理部を有する通信装置において、ＨＡＲＱが用いられて送信される一連のデータを第１の通信処理部へ振り分け、ＨＡＲＱが用いられずに送信されるデータを第２の通信処理部へ振り分けうる。これにより、相互に一定の関係を有する一群のデータを、一括して処理すること容易に可能となる。このとき、物理ヘッダの復号が完了した時点でデータの振り分け先を迅速に振り分けることができるため、データの並列処理を効率的に実行することができる。なお、通信装置であるＡＰ１０２やＳＴＡ１０３〜１０５の他、上記のＰＨＹプリアンブルを生成する情報処理装置（例えば、無線チップ）により、本発明を実施することも可能である。
【００４８】
また、上述の例では、ＨＡＲＱサブフィールドが、ＨＡＲＱが使用されるか否かを示す１ビットのフィールドである場合について説明しているが、これに限られない。例えば、ＨＡＲＱサブフィールドが２ビット以上のフィールドとして用意され、ＨＡＲＱが使用されるか否かに加え、ＨＡＲＱが使用される場合のそのＨＡＲＱのタイプを示す値が設定されてもよい。また、例えば上述の例において、ＥＨＴ−ＳＩＧ−Ａ１又はＥＨＴ−ＳＩＧ−Ａ２のＨＡＲＱサブフィールドが１に設定されている場合に、ＥＨＴ−ＳＩＧ−Ａの一部として追加のＥＨＴ−ＳＩＧ−Ａ３が無線フレームに含められうる。そして、例えば、ＥＨＴ−ＳＩＧ−Ａ３には、使用されるＨＡＲＱのタイプを示すＨＡＲＱ  Ｔｙｐｅサブフィールドを含めうる。例えば、ＨＡＲＱ  Ｔｙｐｅサブフィールドが０のときはＣｈａｓｅ  Ｃｏｍｂｉｎｉｎｇ、１のときはＩｎｃｒｅｍｅｎｔａｌ  Ｒｅｄｕｎｄａｎｃｙ、２のときはＰａｒｔｉａｌ  Ｃｈａｓｅ  Ｃｏｍｂｉｎｉｎｇ…のように、ＨＡＲＱのタイプが示されうる。なお、これらは一例に過ぎず、タイプとビットは別の態様で対応付けられてもよい。また、ＥＨＴ−ＳＩＧ−Ａの一部としてＨＡＲＱ  Ｔｙｐｅサブフィールドを設けなくてもよく、例えば、ＥＨＴ−ＳＩＧ−ＡとＥＨＴ−ＳＴＦ（又はＥＨＴ−ＳＩＧ−Ｂ）との間に、別のシグナルフィールドを用意してもよい。この場合、そのシグナルフィールドに、ＨＡＲＱ  Ｔｙｐｅサブフィールドが設定されてもよい。ＩＥＥＥ８０２．１１  ＥＨＴ規格で用いられるＰＰＤＵのＰＨＹプリアンブルにおいて、送信データの伝送に使用されるＨＡＲＱのタイプが受信装置に通知される。受信装置は、使用されるＨＡＲＱのタイプに応じて、データの受信処理において使用するＨＡＲＱの方式を切り替えることができる。このとき、受信装置は、例えば、ＰＰＤＵのＰＨＹプリアンブルを確認した時点で、使用すべきＨＡＲＱの方式での通信処理機能を起動させ、使用されないＨＡＲＱの方式での通信処理機能をオフとすることができる。
【００４９】
＜＜その他の実施形態＞＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００５０】
発明は上記実施形態に制限されるものではなく、発明の精神及び範囲から離脱することなく、様々な変更及び変形が可能である。従って、発明の範囲を公にするために請求項を添付する。
【符号の説明】
【００５１】
１０２：ＡＰ、１０３〜１０５：ＳＴＡ、３０１：無線ＬＡＮ制御部、３０２：フレーム生成部、３０３：ＨＡＲＱ制御部、３０４：ＵＩ制御部、３０５：記憶部
【図１】
2020141302.tif 000011
【図２】
2020141302.tif 000012
【図３】
2020141302.tif 000013
【図４】
2020141302.tif 000014
【図５】
2020141302.tif 000015
【図６】
2020141302.tif 000016
【図７】
2020141302.tif 000017
【図８】
2020141302.tif 000018